(57)【要約】【課題】スピーカ装置を表示装置本体の横幅に対応した長さ、及び高さに対応した長さに変更することができ、デザイン性を高めることができる表示装置を提供する。【解決手段】前側に表示面を有する表示装置本体の一側部に取着されるスピーカ装置２を、表示装置本体に取着される主スピーカ２ａと、該主スピーカ２ａに回動、摺動、取外しを可能に連結される副スピーカ２ｂとを有する構成とし、該副スピーカ２ｂの回動、摺動、取外しのいずれかの操作を行うことによりスピーカ装置の長手方向両端間の寸法を長短に変更することができるようにした。【選択図】図３
2008172624.tif 000002
【特許請求の範囲】
【請求項１】
前側に表示面を有する表示装置本体の一側部に前面視長方形をなすスピーカ装置を取着してなる表示装置において、前記スピーカ装置は、長手方向両端間の寸法を長短に変更するための寸法変更手段を備えることを特徴とする表示装置。
【請求項２】
前記スピーカ装置は、前記表示装置本体に取着される主スピーカと、前記寸法変更手段により前記主スピーカに可動に連結される副スピーカとを有する請求項１記載の表示装置。
【請求項３】
前記寸法変更手段は、前記副スピーカを回動を可能に連結する第１連結部を有する請求項２記載の表示装置。
【請求項４】
前記寸法変更手段は、前記副スピーカを摺動を可能に連結する第２連結部を有する請求項２又は３記載の表示装置。
【請求項５】
前記寸法変更手段は、前記副スピーカを取外しを可能に連結する第３連結部を有する請求項２乃至４のいずれかひとつに記載の表示装置。
【請求項６】
前記第３連結部は、前記主スピーカに可動に設けられている係止体と、前記副スピーカに設けられ、前記係止体に係止される被係止部とを有する請求項５記載の表示装置。
【請求項７】
前記主スピーカは音源部及び該音源部を保持する保持体と、該保持体を装飾する第１の装飾体とを有し、前記副スピーカは前記第１の装飾体に連結してある第２の装飾体を有する請求項２記載の表示装置。
【発明の詳細な説明】
【技術分野】
【０００１】
本発明は液晶表示装置、プラズマ表示装置等の表示装置に関する。
【背景技術】
【０００２】
液晶テレビ等の表示装置は、前側に表示面を有し、高さよりも横幅が長い直方体をなす表示装置本体の下側又は両横側にスピーカ装置が取着されている。このスピーカ装置は、下側用と、横側用とに形成されており、ユーザが表示装置を購入する際、設置場所に応じて下側用、横側用のいずれかを選択していた（例えば特許文献１参照）。下側用のスピーカ装置は、表示部の下側で且つ両横側に着脱を可能に並置され、また、横側用のスピーカ装置は、表示部の両横側に着脱を可能に取着されている。
【特許文献１】実開平４−５９６８４号公報
【発明の開示】
【発明が解決しようとする課題】
【０００３】
ところが、特許文献１のように高さよりも横幅が長い直方体をなす表示装置本体の下側又は両横側にスピーカ装置が取着される表示装置にあっては、下側用のスピーカ装置と、両横側用のスピーカ装置との形態が異なるため、スピーカ装置の種類が多くなり、また、スピーカ装置の取着構造も異なり、コスト高になる。
【０００４】
また、下側用の二つのスピーカ装置と、両横側用のスピーカ装置とを共用にした場合、表示装置本体の高さと横幅との比率が異なるため、例えば二つのスピーカ装置を表示装置本体の半分の横幅に対応した長さとした場合、このスピーカ装置が表示装置本体の両横側に取着された際、表示装置本体の高さよりもスピーカ装置の上下長さが短く、表示装置本体の上下面とスピーカ装置との間に大きな段差が生じることになり、デザイン性が損なわれる。
【０００５】
また、二つのスピーカ装置を表示装置本体の高さに対応した長さとした場合、このスピーカ装置が表示装置本体の下側に並置された際、表示装置本体の横幅よりもスピーカ装置の横長さが長く、夫々のスピーカ装置の一端部が表示装置本体に対して横側へ大きく出っ張ることになり、デザイン性が損なわれる。
【０００６】
本発明は斯かる事情に鑑みてなされたものであり、主たる目的は前面視長方形をなすスピーカ装置の長手方向両端間の寸法を長短に変更するための寸法変更手段を設けることにより、スピーカ装置を表示装置本体の横幅に対応した長さ、及び高さに対応した長さに変更することができ、デザイン性を高めることができる表示装置を提供することにある。
【０００７】
また、他の目的はスピーカ装置を、表示装置本体に取着される主スピーカと、該主スピーカに可動に連結される副スピーカとを備える構成とすることにより、スピーカ装置の寸法変更を簡易にできる表示装置を提供することにある。
【０００８】
また、他の目的は副スピーカを回動を可能に連結する第１連結部を有する構成とすることにより、スピーカ装置の寸法変更をスムーズに、且つより一層簡易にできる表示装置を提供することにある。
【０００９】
また、他の目的は副スピーカを摺動を可能に連結する第２連結部を有する構成とすることにより、寸法変更後の副スピーカを表示面に沿う位置に配置することができる表示装置を提供することにある。
【００１０】
また、他の目的は副スピーカを取外しを可能に連結する第３連結部を有する構成とすることにより、寸法変更後のスピーカ装置をシンプルにでき、デザイン性をより一層高めることができる表示装置を提供することにある。
【００１１】
また、他の目的は第３連結部を、主スピーカに可動に設けられている係止体と、該係止体に係止される被係止部とを有する構成とすることにより、寸法変更操作を容易にできる表示装置を提供することにある。
【００１２】
また、他の目的は主スピーカは音源部及び該音源部を保持する保持体と、該保持体を装飾する第１の装飾体とを有し、副スピーカは第１の装飾体に連結してある第２の装飾体を有する構成とすることにより、副スピーカの構造、及び寸法変更手段の構造を簡素にできる表示装置を提供することにある。
【課題を解決するための手段】
【００１３】
本発明に係る表示装置は、前側に表示面を有する表示装置本体の一側部に前面視長方形をなすスピーカ装置を取着してなる表示装置において、前記スピーカ装置は、長手方向両端間の寸法を長短に変更するための寸法変更手段を備えることを特徴とする。
この発明にあっては、スピーカ装置の長手方向両端間の寸法を長短に変更することができるため、スピーカ装置を表示装置本体の横幅に対応した長さ、及び高さに対応した長さに変更することができ、デザイン性を高めることができる。また、スピーカ装置を一種類にすることができ、スピーカ装置の汎用性を高めることができる。
【００１４】
また、本発明に係る表示装置は、前記スピーカ装置は、前記表示装置本体に取着される主スピーカと、前記寸法変更手段により前記主スピーカに可動に連結される副スピーカとを有することを特徴とする。
この発明にあっては、副スピーカを主スピーカに対して可動させることにより、スピーカ装置の両端間の寸法を長短に変更することができ、スピーカ装置の寸法変更を簡易にできる。
【００１５】
また、本発明に係る表示装置は、前記寸法変更手段は、前記副スピーカを回動を可能に連結する第１連結部を有することを特徴とする。
この発明にあっては、副スピーカを主スピーカに対して回動させることにより、スピーカ装置の両端間の寸法を長短に変更することができ、スピーカ装置の寸法変更をスムーズに、且つより一層簡易にできる。
【００１６】
また、本発明に係る表示装置は、前記寸法変更手段は、前記副スピーカを摺動を可能に連結する第２連結部を有することを特徴とする。
この発明にあっては、副スピーカを主スピーカに対して摺動させることによりスピーカ装置の両端間の寸法を直線的に変更することができる。また、寸法変更後の副スピーカを表示面に沿う位置に配置することができ、デザイン性をより一層高めることができる。
【００１７】
また、本発明に係る表示装置は、前記寸法変更手段は、前記副スピーカを取外しを可能に連結する第３連結部を有することを特徴とする。
この発明にあっては、副スピーカを取外すことによりスピーカ装置の両端間の寸法を変更することができ、デザイン性をより一層高めることができる。
【００１８】
また、本発明に係る表示装置は、前記第３連結部は、前記主スピーカに可動に設けられている係止体と、前記副スピーカに設けられ、前記係止体に係止される被係止部とを有することを特徴とする。
この発明にあっては、係止体を可動操作することにより、副スピーカを連結／離脱することができ、寸法変更操作を容易にできる。
【００１９】
また、本発明に係る表示装置は、前記主スピーカは音源部及び該音源部を保持する保持体と、該保持体を装飾する第１の装飾体とを有し、前記副スピーカは前記第１の装飾体に連結してある第２の装飾体を有することを特徴とする。
この発明にあっては、主スピーカの第１の装飾体に対して第２の装飾体を操作することにより、スピーカ装置の両端間の寸法を変更することができ、寸法変更手段の構造を簡素にできる。
【発明の効果】
【００２０】
本発明によれば、スピーカ装置を表示装置本体の横幅に対応した長さ、及び高さに対応した長さに変更することができ、デザイン性を高めることができ、また、スピーカ装置を一種類にすることができ、スピーカ装置の汎用性を高めることができる。
【００２１】
また、本発明によれば、副スピーカを主スピーカに対して可動させることにより、スピーカ装置の両端間の寸法を長短に変更することができ、スピーカ装置の寸法変更を簡易にできる。
【００２２】
また、本発明によれば、副スピーカを主スピーカに対して回動させることによりスピーカ装置の両端間の寸法を長短に変更することができ、スピーカ装置の寸法変更をスムーズに、且つより一層簡易にできる。
【００２３】
また、本発明によれば、副スピーカを主スピーカに対して摺動させることによりスピーカ装置の両端間の寸法を直線的に変更することができ、しかも、寸法変更後の副スピーカを表示面に沿う位置に配置することができ、デザイン性をより一層高めることができる。
【００２４】
また、本発明によれば、副スピーカを取外すことによりスピーカ装置の両端間の寸法を変更することができ、寸法変更後のスピーカ装置をシンプルにでき、デザイン性をより一層高めることができる。
【００２５】
また、本発明によれば、係止体を可動操作することにより、副スピーカを連結／離脱することができ、寸法変更操作を容易にできる。
【００２６】
また、本発明によれば、第２の装飾体を操作することにより、スピーカ装置の両端間の寸法を変更することができ、副スピーカの構造、及び寸法変更手段の構造を簡素にでき、コストを低減できる。
【発明を実施するための最良の形態】
【００２７】
以下本発明をその実施の形態を示す図面に基づいて詳述する。
実施の形態１
図１は本発明に係る表示装置の背面側斜視図である。
【００２８】
図示した表示装置はテレビ画像等を表示する表示面１ａ（図５参照）を前側に有し、高さよりも横幅が長い略直方体をなす表示装置本体１と、該表示装置本体１の下側で、且つ両横側に装着されるか、又は、表示装置本体１の両横側に装着され、音波を前側へ放射する二つのスピーカ装置２，２と、表示装置本体１を起立状態で支持するスタンド３とを備える薄型の液晶テレビである。
【００２９】
表示装置本体１は前側に表示面１ａを有する液晶のパネル１０（図５参照）と、該パネル１０の後側に配置された光学シートと、バックライト部と、表示面１ａに対応する箇所が開放され、パネル１０及びバックライト部を被覆するキャビネット４とを備える。
【００３０】
キャビネット４は、パネル１０の前側周縁部を被覆する枠体４１と、パネル１０の周縁部及びバックライト部を被覆し、深皿形をなすカバー体４２とを備え、カバー体４２の前端部を枠体４１の後端部内側に重合させた状態で枠体４１及びカバー体４２がバックライト部に取付けられている。
【００３１】
カバー体４２は、高さよりも横幅が長い略直方形をなし、長辺の下部で、且つ両横側部及び中央には二つのスピーカ装置２，２が取着される四つの被取着部４３が設けられており、短辺の両横部で、且つ上下部とには夫々一つのスピーカ装置２が取付けられる二つの被取着部４３が設けられている。被取着部４３は平坦になっており、該被取着部４３に、離隔して開口する二つの螺子孔４３ａと、該螺子孔４３ａ間に開口するゴム製の弾性筒４３ｂと、該弾性筒４３ｂ及び一方の螺子孔４３ａ間に突設された位置決凸部４３ｃとが設けられている。
【００３２】
図２はスピーカ装置の構成を示す分解斜視図、図３は寸法変更手段の構成を示す模式的説明図、図４は寸法変更手段により寸法が変更された状態を示す模式的説明図である。スピーカ装置２は、高さよりも横幅が長い前面視長方形をなし、複数の音源部２１、該音源部２１を保持し、且つ音波放射板２２が取付けられる保持体２３及び該保持体２３を装飾する第１の装飾体２４を有し、高さよりも横幅が長い略直方体をなす主スピーカ２ａと、該主スピーカ２ａの長手方向一端部に連結体５により取外し、回動及び摺動を可能に連結され、高さよりも横幅が長い略直方体をなす副スピーカ２ｂとを備える。
【００３３】
保持体２３には長辺の一側で、長手方向両端部に、二つの被取着部４３，４３に対応する板状の取着部２５，２５が突設されており、また、一端部には連結体５の一端部が挿入される第１孔２３ａと、該第１孔２３ａへ進入する係止位置及び第１孔２３ａから後退する非係止位置への移動が可能な係止体１１とが設けられている。取着部２５には二つの螺子孔４３ａ，４３ａに対応する二つの挿通孔２５ａ，２５ａと、弾性筒４３ｂに挿嵌される嵌合突起２５ｂと、位置決凸部４３ｃが嵌合される位置決孔２５ｃとが設けられている。
【００３４】
係止体１１は例えば揺動を可能に枢支され、ばねにより係止位置へ付勢され、ばねの付勢力に打勝って揺動操作することにより非係止位置へ移動させることができるように構成されている。
【００３５】
副スピーカ２ｂは、主スピーカ２ａと同形で、主スピーカ２ａよりも短い長さに形成されており、保持体２３に対応する副保持体２６と、第１の装飾体２４に対応する第２の装飾体２７とを有する。副保持体２６には、連結体５の他端部が挿入される第２孔２６ａと、該第２孔２６ａ内に開口する保持孔２６ｂと、該保持孔２６ｂに移動を自在に収容された転動体１２と、該転動体１２を付勢する付勢ばね１３とが設けられている。
【００３６】
連結体５は角棒形をなし、一端部に被係止部５１ａを有し、該被係止部５１ａ側が第１孔２３ａに挿入される第１部材５１と、長手方向へ離隔した位置に複数の位置決凹部５２ａを有し、該位置決凹部５２ａ側が第２孔２６ａに挿入される第２部材５２とを備え、第１部材５１及び第２部材５２の他端部同士を枢軸５３により回動を可能に連結してある。また、第１部材５１が第１孔２３ａに挿入された際、被係止部５１ａが係止体１１と係合して第１部材５１を係止し、第２部材５２が第２孔２６ａに挿入された際、転動体１２が位置決凹部５２ａの一つと係合するように構成されている。枢軸５３の周りには第１部材５１及び第２部材５２の相対回動に抵抗を与えるコイルばねを設け、相対回動された第１部材５１及び第２部材５２の位置を維持することができるように構成されている。尚、主スピーカ２ａ及び副スピーカ２ｂの端部の少なくとも一方には、主スピーカ２ａ及び副スピーカ２ｂ間の離隔空間を前面視で目隠しする目隠部材を設ける。
【００３７】
図５は第１連結部により寸法が変更された状態を示す説明図、図６は第２連結部により寸法が変更された状態を示す説明図、図７は第３連結部により寸法が変更された状態を示す説明図である。
【００３８】
以上のように構成された表示装置は、図１に示すように表示装置本体１の下側で、両横側にスピーカ装置２，２が並置されている。
スピーカ装置２は、主スピーカ２ａと、副スピーカ２ｂとを備える。主スピーカ２ａは、保持体２３の取着部２５，２５をカバー体４２の被取着部４３，４３に近付けて、嵌合突起２５ｂを弾性筒４３ｂに挿嵌することにより仮止めし、さらに位置決凸部４３ｃを位置決孔２５ｃに嵌合することにより取付位置を正確に決め、この後、二つの挿通孔２５ａ，２５ａに挿通する雄螺子を螺子孔４３ａ，４３ａに緊締することにより主スピーカ２ａを取着する。
【００３９】
副スピーカ２ｂには連結体５が取付けられている。この連結体５は第２部材５２が第２孔２６ａに挿入されることにより、転動体１２が位置決凹部５２ａと係合し、第２部材５２が取付けられる。
【００４０】
副スピーカ２ｂに取付けられている連結体５の第１部材５１を第１孔２３ａに挿入し、係止体１１を非係止位置へ後退移動させつつ第１部材５１をさらに挿入することにより係止体１１が被係止部５１ａと係合し、第１部材５１を保持体２３に固定、換言すると連結体５を固定することができ、この連結体５により副スピーカ２ｂを主スピーカ２ａに取外しと、回動と、摺動とを可能に連結することができる。
【００４１】
このように主スピーカ２ａと副スピーカ２ｂとが連結されているスピーカ装置２は、三つの寸法変更手段により長手方向両端間の寸法Ｈを変更することができる。
【００４２】
一の寸法変更手段は、第１部材５１及び第２部材５２を相対回動を可能に連結する枢軸５３を有する第１連結部であり、該枢軸５３を中心として副スピーカ２ｂを図３の矢印方向へ適宜の角度だけ回動することにより、直線状態から折線状態となり、前記寸法Ｈを変更することができる。従って、図５(a) に示すように表示装置本体１の高さに対応する長さに形成されているスピーカ装置２が、表示装置本体１の下側で、両横側に並置される際は、図５(b) に示すようにスピーカ装置２の寸法Ｈを表示装置本体１の横幅に対応する寸法に変更することができる。
【００４３】
二の寸法変更手段は、転動体１２及び位置決凹部５２ａを有する第２連結部であり、副スピーカ２ｂを主スピーカ２ａと接離する方向へ摺動させ、転動体１２を位置決凹部５２ａのいずれか一つと係合させることにより、直線状態で前記寸法Ｈを変更することができる。従って、図６(a) に示すように表示装置本体１の横幅に対応する長さに形成されているスピーカ装置２が、表示装置本体１の両横側に取着される際は、図６(b) に示すようにスピーカ装置２の寸法Ｈを表示装置本体１の高さに対応する寸法に変更することができる。尚、図６(b) において、主スピーカ２ａ及び副スピーカ２ｂ間の離隔空間は目隠部材により目隠しすることができる。
【００４４】
三の寸法変更手段は、被係止部５１ａ及び係止体１１を有する第３連結部であり、係止体１１を非係止位置へ移動させ、係止体１１の被係止部５１ａとの係合を離脱することにより、第１部材５１を第１孔２３ａから抜出し、副スピーカ２ｂを取外すことができ、前記寸法Ｈを短くすることができ、また、連結体５が副スピーカ２ｂを連結することにより、前記寸法Ｈを長くすることができる。
【００４５】
以上のように前記寸法Ｈを変更することができるため、表示装置本体１の下側に二つのスピーカ装置２，２が並置される場合であっても、また、表示装置本体１の両横側にスピーカ装置２，２が取着される場合であっても、スピーカ装置２を表示装置本体１の横幅に対応した長さ、又は高さに対応した長さに変更することができ、表示装置のデザイン性を高めることができる。また、一種類のスピーカ装置２で対応することができるため、スピーカ装置２を複数機種の表示装置に共用することができ、スピーカ装置２の汎用性を高めることができる。
【００４６】
実施の形態２
図８及び図９は寸法変更手段の他の構成を示す模式的説明図である。この表示装置の寸法変更手段は、スピーカ装置２の長手方向両側へ延出された第１及び第２の凸条６１，６２を有する連結体６を備え、第１の凸条６１に係合する第１の溝部２３ｂを主スピーカ２ａの保持体２３に設け、第２の凸条６２に係合する第２の溝部２６ａを副スピーカ２ｂの副保持体２６に設けてある。第１の凸条６１と第１の溝部２３ｂとの間、及び第２の凸条６２と第２の溝部２６ａとの間には適宜の摺動抵抗が与えられ、変更した寸法を維持することができるように構成されている。
【００４７】
この表示装置にあっては、連結体６を主スピーカ２ａに対して接離方向へ摺動させることができ、さらに、副スピーカ２ｂを連結体６に対して接離方向へ摺動させることができ、前記寸法Ｈを２段階で変更することができる。また、第１の凸条６１を第１の溝部２３ｂから抜出し、副スピーカ２ｂを取外すことにより、前記寸法Ｈをさらに変更することができる。
その他の構成及び作用は実施の形態１と同様であるため、同様の部品については同じ符号を付し、その詳細な説明及び作用効果の説明を省略する。
【００４８】
実施の形態３
図１０及び図１１は寸法変更手段の他の構成を示す模式的説明図である。この表示装置の寸法変更手段は、主スピーカ２ａの保持体２３の幅方向両側に、副スピーカ２ｂの長手方向への摺動を案内する案内条２３ｃ，２３ｃを設け、該案内条２３ｃ，２３ｃに係合する係合溝２７ａ，２７ａを第２の装飾体２７の幅方向両端部に設けてある。案内条２３ｃと係合溝２７ａとの間には適宜の摺動抵抗が与えられ、変更した寸法を維持することができるように構成されている。副スピーカ２ｂは副保持体２６をなくし、第２の装飾体２７を備える。
【００４９】
この表示装置にあっては、第２の装飾体２７を主スピーカ２ａに対して接離方向へ摺動させることにより、前記寸法Ｈを変更することができる。
その他の構成及び作用は実施の形態１と同様であるため、同様の部品については同じ符号を付し、その詳細な説明及び作用効果の説明を省略する。
【００５０】
実施の形態４
図１２及び図１３は寸法変更手段の他の構成を示す模式的説明図である。この表示装置の寸法変更手段は、実施の形態１における第２部材５２の位置決凹部５２ａ及び転動体１２をなくし、第２部材５２の一端部を副スピーカ２ｂに固定したものであり、副スピーカ２ｂは実施の形態１と同様に取外し、及び回動を可能に構成されている。
【００５１】
この表示装置にあっては、枢軸５３を中心として副スピーカ２ｂを適宜の角度だけ回動させることにより、直線状態から折線状態となり、前記寸法Ｈを長短に変更することができる。また、係止体１１を非係止位置へ移動させ、係止体１１の被係止部５１ａとの係合を離脱することにより、第１部材５１を第１孔２３ａから抜出し、副スピーカ２ｂを取外すことができ、前記寸法Ｈを短くすることができ、また、連結体５が副スピーカ２ｂを連結することにより、前記寸法Ｈを長くすることができる。
その他の構成及び作用は実施の形態１と同様であるため、同様の部品については同じ符号を付し、その詳細な説明及び作用効果の説明を省略する。
【００５２】
尚、以上説明した実施の形態では、複数の寸法変更手段を備える構成としたが、その他、寸法変更手段はいずれか一つであってもよい。また、寸法変更手段の位置決凹部５２ａは、鋸歯状に連なる構成としてもよい。この場合、位置決凹部５２ａと係脱する板ばね等の弾性部材を転動体１２に代えて備える構成とする。また、凸条６１，６２と溝部２３ｂ，２６ａ、案内条２３ｃと係合溝２７ａとは、いずれか一方を主スピーカ２ａに設け、他方を副スピーカ２ｂに設ける構成であればよく、実施の形態の構成に制限されない。
【００５３】
また、以上説明した実施の形態では表示装置本体１の下側、両横側にスピーカ装置２，２を取着することができるように構成したが、その他、表示装置本体１の上側、両横側にスピーカ装置２を取着することができるように構成してもよいし、また、表示装置本体１の上下側、両横側にスピーカ装置２を取着することができるように構成してもよい。
【００５４】
また、以上説明した実施の形態では副スピーカ２ｂは音源部を備えない構成としたが、その他、副スピーカ２ｂも音源部を備える構成としてもよい。
【００５５】
また、本発明に係る表示装置は液晶テレビ等の液晶表示装置である他、プラズマ表示装置、ＥＬディスプレイ等の表示装置であってもよい。
【図面の簡単な説明】
【００５６】
【図１】本発明に係る表示装置の背面側斜視図である。
【図２】本発明に係る表示装置のスピーカ装置の構成を示す分解斜視図である。
【図３】本発明に係る表示装置の寸法変更手段の構成を示す模式的説明図である。
【図４】寸法変更手段により寸法が変更された状態を示す模式的説明図である。
【図５】寸法変更手段を構成する第１連結部により寸法が変更された状態を示す説明図である。
【図６】寸法変更手段を構成する第２連結部により寸法が変更された状態を示す説明図である。
【図７】寸法変更手段を構成する第３連結部により寸法が変更された状態を示す説明図である。
【図８】寸法変更手段の他の構成を示す模式的説明図である。
【図９】寸法変更手段の他の構成を示す模式的説明図である。
【図１０】寸法変更手段の他の構成を示す模式的説明図である。
【図１１】寸法変更手段の他の構成を示す模式的説明図である。
【図１２】寸法変更手段の他の構成を示す模式的説明図である。
【図１３】寸法変更手段の他の構成を示す模式的説明図である。
【符号の説明】
【００５７】
１    表示装置本体
１ａ  表示面
２    スピーカ装置
２ａ  主スピーカ
２ｂ  副スピーカ
２１  音源部
２３  保持体
２４  第１の装飾体
２７  第２の装飾体
５    連結体（寸法変更手段）
５１ａ  非被係止部
５２ａ  位置決凹部
５３  枢軸（第３連結部）
１１  係止体（第１連結部）
１２  転動体（第２連結部）
【図１】
2008172624.tif 000003
【図２】
2008172624.tif 000004
【図３】
2008172624.tif 000005
【図４】
2008172624.tif 000006
【図５】
2008172624.tif 000007
【図６】
2008172624.tif 000008
【図７】
2008172624.tif 000009
【図８】
2008172624.tif 000010
【図９】
2008172624.tif 000011
【図１０】
2008172624.tif 000012
【図１１】
2008172624.tif 000013
【図１２】
2008172624.tif 000014
【図１３】
2008172624.tif 000015